(57)【特許請求の範囲】
【請求項１】
入力された電力を変換し、当該変換された電力を出力する電源装置を複数備えるとともに、当該出力された電力を外部負荷へ供給するように構成された電源システムであって、
入力された電力を蓄電するとともに当該蓄電されている電力を前記外部負荷へ供給するバッテリ装置を備えるとともに、
前記複数の電源装置の１つである第１の電源装置の状態が異常状態であることを検出する異常状態検出手段と、
前記第１の電源装置の状態が前記異常状態であることが検出された場合、前記複数の電源装置の他の１つである第２の電源装置へ電力が入力されない電力入力禁止状態から、当該第２の電源装置へ電力が入力される電力入力許可状態へ、前記電源システムの状態を切り替え、且つ、前記バッテリ装置に蓄電されている電力を前記外部負荷へ供給しない電力供給禁止状態から、当該バッテリ装置に蓄電されている電力を前記外部負荷へ供給する電力供給許可状態へ、前記電源システムの状態を切り替える切替制御手段と、
前記第２の電源装置が出力する電力を検出する出力電力検出手段と、
前記バッテリ装置が蓄電している電力の量である蓄電量を検出する蓄電量検出手段と、
を備え、
前記電源装置により出力された電力を前記バッテリ装置へ供給する蓄電許可状態と、当該電源装置により出力された電力を当該バッテリ装置へ供給しない蓄電禁止状態と、に前記電源システムの状態が切り替わるように構成され、
前記切替制御手段は、前記出力電力検出手段にて検出された電力の大きさが、予め設定された閾値電力よりも大きくなった場合、前記電源システムの状態を前記電力供給禁止状態に切り替え、前記蓄電量検出手段にて検出された蓄電量が予め設定された閾値蓄電量よりも小さい場合、前記電源システムの状態を前記電力入力禁止状態から前記電力入力許可状態へ切り替え、且つ、前記電源システムの状態を前記蓄電禁止状態から前記蓄電許可状態へ切り替えるように構成された電源システム。
【請求項２】
入力された電力を変換し、当該変換された電力を出力する電源装置を複数備えるとともに、当該出力された電力を外部負荷へ供給するように構成された電源システムに適用される電源制御方法であって、
前記電源システムは、入力された電力を蓄電するとともに当該蓄電されている電力を前記外部負荷へ供給するバッテリ装置を備え、
前記電源制御方法は、
前記複数の電源装置の１つである第１の電源装置の状態が異常状態であることを検出し、
前記第１の電源装置の状態が前記異常状態であることが検出された場合、前記複数の電源装置の他の１つである第２の電源装置へ電力が入力されない電力入力禁止状態から、当該第２の電源装置へ電力が入力される電力入力許可状態へ、前記電源システムの状態を切り替え、且つ、前記バッテリ装置に蓄電されている電力を前記外部負荷へ供給しない電力供給禁止状態から、当該バッテリ装置に蓄電されている電力を前記外部負荷へ供給する電力供給許可状態へ、前記電源システムの状態を切り替えると共に、
前記第２の電源装置が出力する電力を検出し、
前記検出された電力の大きさが、予め設定された閾値電力よりも大きくなった場合、前記電源システムの状態を前記電力供給禁止状態に切り替え、
前記バッテリ装置が蓄電している電力の量である蓄電量を検出し、
前記検出された蓄電量が予め設定された閾値蓄電量よりも小さい場合、前記電源システムの状態を前記電力入力禁止状態から前記電力入力許可状態へ切り替え、且つ、前記電源システムの状態を、前記電源装置により出力された電力を前記バッテリ装置へ供給しない蓄電禁止状態から、当該電源装置により出力された電力を当該バッテリ装置へ供給する蓄電許可状態へ切り替える、
電源制御方法。
【請求項３】
入力された電力を変換し、当該変換された電力を出力する電源装置を複数備えるとともに、当該出力された電力を外部負荷へ供給するように構成された電源システムを制御する電源制御装置であって、
前記電源システムは、入力された電力を蓄電するとともに当該蓄電されている電力を前記外部負荷へ供給するバッテリ装置を備え、
前記電源制御装置は、
前記複数の電源装置の１つである第１の電源装置の状態が異常状態であることを検出する異常状態検出手段と、
前記第１の電源装置の状態が前記異常状態であることが検出された場合、前記複数の電源装置の他の１つである第２の電源装置へ電力が入力されない電力入力禁止状態から、当該第２の電源装置へ電力が入力される電力入力許可状態へ、前記電源システムの状態を切り替え、且つ、前記バッテリ装置に蓄電されている電力を前記外部負荷へ供給しない電力供給禁止状態から、当該バッテリ装置に蓄電されている電力を前記外部負荷へ供給する電力供給許可状態へ、前記電源システムの状態を切り替える切替制御手段と、
前記第２の電源装置が出力する電力を検出する出力電力検出手段と、
前記バッテリ装置が蓄電している電力の量である蓄電量を検出する蓄電量検出手段と、
を備え、
前記電源装置により出力された電力を前記バッテリ装置へ供給する蓄電許可状態と、当該電源装置により出力された電力を当該バッテリ装置へ供給しない蓄電禁止状態と、に前記電源システムの状態が切り替わるように構成され、
前記切替制御手段は、前記出力電力検出手段にて検出された電力の大きさが、予め設定された閾値電力よりも大きくなった場合、前記電源システムの状態を前記電力供給禁止状態に切り替え、前記蓄電量検出手段にて検出された蓄電量が予め設定された閾値蓄電量よりも小さい場合、前記電源システムの状態を前記電力入力禁止状態から前記電力入力許可状態へ切り替え、且つ、前記電源システムの状態を前記蓄電禁止状態から前記蓄電許可状態へ切り替えるように構成された電源制御装置。
【請求項４】
入力された電力を変換し、当該変換された電力を出力する電源装置を複数備えるとともに、当該出力された電力を外部負荷へ供給するように構成された電源システムを制御する電源制御装置が実行するプログラムであって、
前記電源システムは、入力された電力を蓄電するとともに当該蓄電されている電力を前記外部負荷へ供給するバッテリ装置を備え、
前記プログラムは、前記電源制御装置に、
前記複数の電源装置の１つである第１の電源装置の状態が異常状態であることを検出する異常状態検出手段と、
前記第１の電源装置の状態が前記異常状態であることが検出された場合、前記複数の電源装置の他の１つである第２の電源装置へ電力が入力されない電力入力禁止状態から、当該第２の電源装置へ電力が入力される電力入力許可状態へ、前記電源システムの状態を切り替え、且つ、前記バッテリ装置に蓄電されている電力を前記外部負荷へ供給しない電力供給禁止状態から、当該バッテリ装置に蓄電されている電力を前記外部負荷へ供給する電力供給許可状態へ、前記電源システムの状態を切り替えると共に、前記電源装置により出力された電力を前記バッテリ装置へ供給する蓄電許可状態と、当該電源装置により出力された電力を当該バッテリ装置へ供給しない蓄電禁止状態と、に前記電源システムの状態を切り替える切替制御手段と、
前記第２の電源装置が出力する電力を検出する出力電力検出手段と、
前記バッテリ装置が蓄電している電力の量である蓄電量を検出する蓄電量検出手段と、
を実現させると共に、
前記切替制御手段は、前記出力電力検出手段にて検出された電力の大きさが、予め設定された閾値電力よりも大きくなった場合、前記電源システムの状態を前記電力供給禁止状態に切り替え、前記蓄電量検出手段にて検出された蓄電量が予め設定された閾値蓄電量よりも小さい場合、前記電源システムの状態を前記電力入力禁止状態から前記電力入力許可状態へ切り替え、且つ、前記電源システムの状態を前記蓄電禁止状態から前記蓄電許可状態へ切り替えるように構成されたプログラム。
【発明の詳細な説明】
【技術分野】
【０００１】
本発明は、複数の電源装置を備える電源システムに関する。
【背景技術】
【０００２】
入力された電力を変換し、当該変換された電力を出力する電源装置を複数備えるとともに、当該出力された電力を外部負荷へ供給するように構成された電源システムが知られている。この種の電源システムの一つとして、特許文献１に記載の電源システムは、１つの電源装置の状態が異常な状態（異常状態）となった場合であっても、他の電源装置を用いて、外部負荷が要求する電力を供給することができる。
【先行技術文献】
【特許文献】
【０００３】
【特許文献１】特開平７−２１３０６０号公報
【発明の概要】
【発明が解決しようとする課題】
【０００４】
ところで、電源装置への電力の入力が開始してから、当該電源装置が十分な大きさの電力を出力するようになるまでには、所定の遅延時間を要する。従って、電源装置の状態が異常状態となった場合に、外部負荷へ供給する電力が不足することを回避するために、上記電源システムは、予めすべての電源装置へ電力を入力する。即ち、上記電源システムは、ホットスタンバイ方式にて作動する。
【０００５】
一方、電源装置が電力を変換する効率（電力変換効率）は、当該電源装置に対する負荷（即ち、当該電源装置が出力する電力の大きさ）が過度に小さくなると、低下してしまう。また、上記電源システムは、上述したように、すべての電源装置により出力される電力を外部負荷へ供給する。従って、いずれかの電源装置の状態が異常状態となるまでの間、各電源装置に対する負荷は、比較的小さくなる。このため、上記電源システムにおいては、電力変換効率が過度に低下してしまう虞があった。
【０００６】
このため、本発明の目的は、上述した課題である「電源装置の状態が異常状態となったときに外部負荷へ供給する電力が不足する場合が生じること、及び、電力変換効率が過度に低下する場合が生じること」を解決することが可能な電源システムを提供することにある。
【課題を解決するための手段】
【０００７】
かかる目的を達成するため本発明の一形態である電源システムは、
入力された電力を変換し、当該変換された電力を出力する電源装置を複数備えるとともに、当該出力された電力を外部負荷へ供給するように構成されたシステムである。
【０００８】
更に、この電源システムは、
入力された電力を蓄電するとともに当該蓄電されている電力を上記外部負荷へ供給するバッテリ装置を備えるとともに、
上記複数の電源装置の１つである第１の電源装置の状態が異常状態であることを検出する異常状態検出手段と、
上記第１の電源装置の状態が上記異常状態であることが検出された場合、上記複数の電源装置の他の１つである第２の電源装置へ電力が入力されない電力入力禁止状態から、当該第２の電源装置へ電力が入力される電力入力許可状態へ、上記電源システムの状態を切り替え、且つ、上記バッテリ装置に蓄電されている電力を上記外部負荷へ供給しない電力供給禁止状態から、当該バッテリ装置に蓄電されている電力を上記外部負荷へ供給する電力供給許可状態へ、上記電源システムの状態を切り替える切替制御手段と、
を備える。
【０００９】
また、本発明の他の形態である電源制御方法は、
入力された電力を変換し、当該変換された電力を出力する電源装置を複数備えるとともに、当該出力された電力を外部負荷へ供給するように構成された電源システムに適用される方法である。
【００１０】
更に、上記電源システムは、入力された電力を蓄電するとともに当該蓄電されている電力を上記外部負荷へ供給するバッテリ装置を備える。
加えて、上記電源制御方法は、
上記複数の電源装置の１つである第１の電源装置の状態が異常状態であることを検出し、
上記第１の電源装置の状態が上記異常状態であることが検出された場合、上記複数の電源装置の他の１つである第２の電源装置へ電力が入力されない電力入力禁止状態から、当該第２の電源装置へ電力が入力される電力入力許可状態へ、上記電源システムの状態を切り替え、且つ、上記バッテリ装置に蓄電されている電力を上記外部負荷へ供給しない電力供給禁止状態から、当該バッテリ装置に蓄電されている電力を上記外部負荷へ供給する電力供給許可状態へ、上記電源システムの状態を切り替える、方法である。
【００１１】
また、本発明の他の形態である電源制御装置は、
入力された電力を変換し、当該変換された電力を出力する電源装置を複数備えるとともに、当該出力された電力を外部負荷へ供給するように構成された電源システムを制御する装置である。
【００１２】
更に、上記電源システムは、入力された電力を蓄電するとともに当該蓄電されている電力を上記外部負荷へ供給するバッテリ装置を備える。
加えて、上記電源制御装置は、
上記複数の電源装置の１つである第１の電源装置の状態が異常状態であることを検出する異常状態検出手段と、
上記第１の電源装置の状態が上記異常状態であることが検出された場合、上記複数の電源装置の他の１つである第２の電源装置へ電力が入力されない電力入力禁止状態から、当該第２の電源装置へ電力が入力される電力入力許可状態へ、上記電源システムの状態を切り替え、且つ、上記バッテリ装置に蓄電されている電力を上記外部負荷へ供給しない電力供給禁止状態から、当該バッテリ装置に蓄電されている電力を上記外部負荷へ供給する電力供給許可状態へ、上記電源システムの状態を切り替える切替制御手段と、
を備える。
【００１３】
また、本発明の他の形態であるプログラムは、
入力された電力を変換し、当該変換された電力を出力する電源装置を複数備えるとともに、当該出力された電力を外部負荷へ供給するように構成された電源システムを制御する電源制御装置が実行するプログラムである。
【００１４】
更に、上記電源システムは、入力された電力を蓄電するとともに当該蓄電されている電力を上記外部負荷へ供給するバッテリ装置を備える。
加えて、上記プログラムは、上記電源制御装置に、
上記複数の電源装置の１つである第１の電源装置の状態が異常状態であることを検出する異常状態検出手段と、
上記第１の電源装置の状態が上記異常状態であることが検出された場合、上記複数の電源装置の他の１つである第２の電源装置へ電力が入力されない電力入力禁止状態から、当該第２の電源装置へ電力が入力される電力入力許可状態へ、上記電源システムの状態を切り替え、且つ、上記バッテリ装置に蓄電されている電力を上記外部負荷へ供給しない電力供給禁止状態から、当該バッテリ装置に蓄電されている電力を上記外部負荷へ供給する電力供給許可状態へ、上記電源システムの状態を切り替える切替制御手段と、
を実現させるためのプログラムである。
【発明の効果】
【００１５】
本発明は、以上のように構成されることにより、電源装置の状態が異常状態となった場合であっても外部負荷へ供給する電力が不足することを防止しながら、電力変換効率を高めることができる。
【図面の簡単な説明】
【００１６】
【図１】本発明の第１実施形態に係る電源システムの概略構成を表す図である。
【図２】本発明の第１実施形態に係る電源制御装置が実行する蓄電制御処理を示したフローチャートである。
【図３】本発明の第１実施形態に係る電源制御装置が実行する冗長制御処理を示したフローチャートである。
【図４】本発明の第２実施形態に係る電源システムの概略構成を表す図である。
【発明を実施するための形態】
【００１７】
以下、本発明に係る、電源システム、電源制御方法、電源制御装置、及び、プログラム、の各実施形態について図１〜図４を参照しながら説明する。
【００１８】
＜第１実施形態＞
（構成）
図１に示したように、第１実施形態に係る電源システム１は、複数の電源装置１１ａ，１１ｂ，…と、バッテリ装置１２と、電源制御装置２０と、を備える。
【００１９】
各電源装置１１ａ，１１ｂ，…は、外部電源（例えば、商用電源等）から供給される交流電力を入力し、当該入力された交流電力を直流電力に変換し、当該変換された直流電力を出力する。本例では、電源装置１１ａは、冗長系（即ち、予備）の電源装置（本明細書において、「第２の電源装置」とも表記される）である。また、電源装置１１ｂ，…のそれぞれは、常用（運用）系の電源装置（本明細書において、「第１の電源装置」とも表記される）である。
【００２０】
バッテリ装置１２は、蓄電池を備える。バッテリ装置１２は、入力された電力を蓄電池に蓄電するとともに当該蓄電されている電力を出力する。
【００２１】
電源システム１は、各電源装置１１ａ，１１ｂ，…により出力された電力を外部負荷２へ供給可能に構成されている。本例では、外部負荷２は、サーバ装置（情報処理装置）である。なお、外部負荷２は、サーバ装置以外の、電力によって駆動される装置又は機器等であってもよい。
更に、電源システム１は、バッテリ装置１２により出力された電力を外部負荷２へ供給可能に構成されている。
【００２２】
また、電源システム１は、複数の電源装置１１ａ，１１ｂ，…のそれぞれに対して、当該電源装置１１ａ，１１ｂ，…へ電力を入力する電力入力許可状態と、当該電源装置１１ａ，１１ｂ，…へ電力を入力しない電力入力禁止状態と、に電源システム１の状態が切り替わるように構成されている。
【００２３】
本例では、電源システム１は、複数の電源装置１１ａ，１１ｂ，…のそれぞれに対して、電力入力許可状態と電力入力禁止状態とに状態が切り替わるリレー回路を備える。即ち、各リレー回路は、外部電源と、ある電源装置１１ａ，１１ｂ，…と、の間を接続する電力入力許可状態と、外部電源と、当該電源装置１１ａ，１１ｂ，…と、の間の接続を遮断する電力入力禁止状態と、に状態が切り替わる。
【００２４】
また、電源システム１は、バッテリ装置１２に蓄電されている電力を外部負荷２へ供給する電力供給許可状態と、バッテリ装置１２に蓄電されている電力を外部負荷２へ供給しない電力供給禁止状態と、に電源システム１の状態が切り替わるように構成されている。
【００２５】
本例では、電源システム１は、電力供給許可状態と電力供給禁止状態とに状態が切り替わるリレー回路を備える。即ち、このリレー回路は、外部負荷２とバッテリ装置１２との間を接続する電力供給許可状態と、外部負荷２とバッテリ装置１２との間の接続を遮断する電力供給禁止状態と、に状態が切り替わる。
【００２６】
また、電源システム１は、各電源装置１１ａ，１１ｂ，…により出力された電力をバッテリ装置１２へ供給する蓄電許可状態と、各電源装置１１ａ，１１ｂ，…により出力された電力をバッテリ装置１２へ供給しない蓄電禁止状態と、に電源システム１の状態が切り替わるように構成されている。
【００２７】
本例では、電源システム１は、蓄電許可状態と蓄電禁止状態とに状態が切り替わるリレー回路を備える。即ち、このリレー回路は、バッテリ装置１２と複数の電源装置１１ａ，１１ｂ，…のそれぞれとの間を接続する蓄電許可状態と、バッテリ装置１２と複数の電源装置１１ａ，１１ｂ，…のそれぞれとの間の接続を遮断する蓄電禁止状態と、に状態が切り替わる。
【００２８】
電源制御装置２０は、電源出力検出部２１（異常状態検出手段、出力電力検出手段）と、電源入力制御部２２（切替制御手段の一部）と、蓄電量検出部２３（蓄電量検出手段）と、バッテリ制御部２４（切替制御手段の一部）と、を備える。
【００２９】
電源出力検出部２１は、各電源装置１１ａ，１１ｂ，…が出力する電力（出力電力）を検出する。更に、電源出力検出部２１は、複数の電源装置１１ａ，１１ｂ，…のそれぞれに対して、検出された出力電力の大きさが予め設定された異常閾値よりも小さい場合、当該電源装置１１ａ，１１ｂ，…の状態が異常な状態（異常状態）であることを検出する。
【００３０】
なお、電源出力検出部２１は、検出された出力電力の大きさの、予め設定された期間における変動量が、予め設定された閾値変動量よりも大きい場合に、電源装置１１ａ，１１ｂ，…の状態が異常状態であることを検出するように構成されていてもよい。
【００３１】
蓄電量検出部２３は、バッテリ装置１２が蓄電している電力の量である蓄電量を検出する。
【００３２】
電源入力制御部２２は、電源システム１の作動が開始した時、常用系の電源装置である電源装置１１ｂ，…のそれぞれに対して、状態を電力入力許可状態に設定し、且つ、冗長系の電源装置である電源装置１１ａに対して、状態を電力入力禁止状態に設定する。
【００３３】
更に、電源入力制御部２２は、蓄電量検出部２３により検出された蓄電量が、予め設定された下限閾値蓄電量よりも小さい場合、電源装置１１ａに対する電源システム１の状態を、電力入力禁止状態から電力入力許可状態へ切り替える。
【００３４】
その後、電源入力制御部２２は、蓄電量検出部２３により検出された蓄電量が、予め設定された上限閾値蓄電量よりも大きくなった場合、電源装置１１ａに対する電源システム１の状態を、電力入力許可状態から電力入力禁止状態へ切り替える。なお、本例では、上限閾値蓄電量は、下限閾値蓄電量よりも大きい。
【００３５】
加えて、電源入力制御部２２は、電源出力検出部２１により、常用系の電源装置１１ｂ，…のいずれかの状態が異常状態であることが検出された場合、電源装置１１ａに対する電源システム１の状態を、電力入力禁止状態から電力入力許可状態へ切り替える。
【００３６】
バッテリ制御部２４は、電源システム１の作動が開始した時、電源システム１の状態を電力供給禁止状態に設定し、且つ、電源システム１の状態を蓄電禁止状態に設定する。
【００３７】
また、バッテリ制御部２４は、蓄電量検出部２３により検出された蓄電量が下限閾値蓄電量よりも小さい場合、電源システム１の状態を蓄電禁止状態から蓄電許可状態へ切り替える。
【００３８】
その後、バッテリ制御部２４は、蓄電量検出部２３により検出された蓄電量が上限閾値蓄電量よりも大きくなった場合、電源システム１の状態を蓄電許可状態から蓄電禁止状態へ切り替える。
【００３９】
加えて、バッテリ制御部２４は、電源出力検出部２１により、常用系の電源装置１１ｂ，…のいずれかの状態が異常状態であることが検出された場合、電源システム１の状態を電力供給禁止状態から電力供給許可状態へ切り替える。
【００４０】
その後、バッテリ制御部２４は、電源出力検出部２１により、電源装置１１ａに対して検出された電力の大きさが、予め設定された閾値電力よりも大きくなった場合、電源システム１の状態を電力供給許可状態から電力供給禁止状態へ切り替える。
【００４１】
（作動）
次に、上述した電源システム１の作動について説明する。
先ず、電源制御装置２０は、電源システム１の作動が開始した時、常用系の電源装置である電源装置１１ｂ，…のそれぞれに対して、状態を電力入力許可状態に設定し、且つ、冗長系の電源装置である電源装置１１ａに対して、状態を電力入力禁止状態に設定する。更に、この時、電源制御装置２０は、電源システム１の状態を電力供給禁止状態に設定し、且つ、電源システム１の状態を蓄電禁止状態に設定する。
【００４２】
即ち、この時点では、電源システム１は、常用系の電源装置である電源装置１１ｂ，…のそれぞれにより出力される電力を外部負荷２へ供給する。また、バッテリ装置１２は、外部負荷２へ電力を供給しない。更に、電源装置１１ｂ，…のそれぞれにより出力される電力は、バッテリ装置１２へ供給されない。
【００４３】
一方、電源制御装置２０は、図２にフローチャートにより示した蓄電制御処理を実行するようになっている。
【００４４】
具体的に述べると、電源制御装置２０は、蓄電制御処理を開始すると、蓄電量が下限閾値蓄電量よりも小さくなるまで待機する（ステップＳ１０１）。そして、蓄電量が下限閾値蓄電量よりも小さくなると、電源制御装置２０は、「Ｙｅｓ」と判定してステップＳ１０２へ進む。
【００４５】
次いで、電源制御装置２０は、冗長系の電源装置（本例では、電源装置１１ａ）への電力の入力を開始する。具体的には、電源制御装置２０は、電源装置１１ａに対する電源システム１の状態を、電力入力禁止状態から電力入力許可状態へ切り替える。
【００４６】
そして、電源制御装置２０は、バッテリ装置１２への蓄電を開始する（ステップＳ１０３）。具体的には、電源制御装置２０は、電源システム１の状態を蓄電禁止状態から蓄電許可状態へ切り替える。これにより、複数の電源装置１１ａ，１１ｂ，…のそれぞれにより出力される電力の一部が外部負荷２へ供給されるとともに、当該出力される電力の残余の部分がバッテリ装置１２へ供給される。その結果、バッテリ装置１２は、蓄電池に電力を蓄電していく。
【００４７】
次いで、電源制御装置２０は、蓄電量が上限閾値蓄電量よりも大きくなるまで待機する（ステップＳ１０４）。そして、蓄電量が上限閾値蓄電量よりも大きくなると、電源制御装置２０は、「Ｙｅｓ」と判定してステップＳ１０５へ進む。
【００４８】
次いで、電源制御装置２０は、バッテリ装置１２への蓄電を終了する。具体的には、電源制御装置２０は、電源システム１の状態を蓄電許可状態から蓄電禁止状態へ切り替える。そして、電源制御装置２０は、冗長系の電源装置（本例では、電源装置１１ａ）への電力の入力を終了する（ステップＳ１０６）。具体的には、電源制御装置２０は、電源装置１１ａに対する電源システム１の状態を、電力入力許可状態から電力入力禁止状態へ切り替える。
【００４９】
その後、電源制御装置２０は、ステップＳ１０１へ戻り、ステップＳ１０１〜ステップＳ１０６の処理を繰り返し実行する。
【００５０】
また、電源制御装置２０は、図３にフローチャートにより示した冗長制御処理を実行するようになっている。
【００５１】
具体的に述べると、電源制御装置２０は、冗長制御処理を開始すると、常用系の電源装置１１ｂ，…のいずれかの状態が異常状態であることが検出されるまで待機する（ステップＳ２０１）。
【００５２】
そして、常用系の電源装置１１ｂ，…のいずれかの状態が異常状態であることが検出されると、電源制御装置２０は、「Ｙｅｓ」と判定してステップＳ２０２へ進む。次いで、電源制御装置２０は、冗長系の電源装置（本例では、電源装置１１ａ）への電力の入力を開始する。具体的には、電源制御装置２０は、電源装置１１ａに対する電源システム１の状態を、電力入力禁止状態から電力入力許可状態へ切り替える。
【００５３】
更に、電源制御装置２０は、バッテリ装置１２から外部負荷２への電力の供給を開始する（ステップＳ２０３）。具体的には、電源制御装置２０は、電源システム１の状態を電力供給禁止状態から電力供給許可状態へ切り替える。
【００５４】
これにより、複数の電源装置１１ａ，１１ｂ，…のそれぞれにより出力される電力と、バッテリ装置１２により出力される電力と、のすべてが外部負荷２へ供給される。従って、電源装置１１ａが十分な大きさの電力（閾値電力以上の電力）を出力する前の期間においても、外部負荷２へ供給する電力が不足することを防止することができる。
【００５５】
次いで、電源制御装置２０は、冗長系の電源装置（本例では、電源装置１１ａ）が出力する電力の大きさが閾値電力よりも大きくなるまで待機する（ステップＳ２０４）。そして、冗長系の電源装置が出力する電力の大きさが閾値電力よりも大きくなると、電源制御装置２０は、「Ｙｅｓ」と判定してステップＳ２０５へ進む。
【００５６】
そして、電源制御装置２０は、バッテリ装置１２から外部負荷２への電力の供給を終了する。具体的には、電源制御装置２０は、電源システム１の状態を電力供給許可状態から電力供給禁止状態へ切り替える。これにより、複数の電源装置１１ａ，１１ｂ，…のそれぞれにより出力される電力のみが外部負荷２へ供給される。その後、電源制御装置２０は、この冗長制御処理の実行を終了する。
【００５７】
以上、説明したように、第１実施形態に係る電源システム１によれば、常用系の電源装置１１ｂ，…のいずれか（第１の電源装置）の状態が異常状態となった場合、バッテリ装置１２が蓄電している電力が外部負荷２へ供給される。これにより、冗長系の電源装置１１ａ（第２の電源装置）が十分な大きさの電力を出力する前の期間においても、外部負荷２へ供給する電力が不足することを防止することができる。
【００５８】
更に、第１実施形態に係る電源システム１は、常用系の電源装置１１ｂ，…のいずれか（第１の電源装置）の状態が異常状態となるまでの間、冗長系の電源装置１１ａ（第２の電源装置）へ電力を入力しない。従って、第１の電源装置の状態が異常状態となるまでの間、第２の電源装置へ電力を入力する場合と比較して、電力変換効率を高めることができる。
【００５９】
このように、第１実施形態に係る電源システム１によれば、常用系の電源装置１１ｂ，…の状態が異常状態となった場合であっても外部負荷２へ供給する電力が不足することを防止しながら、電力変換効率を高めることができる。
【００６０】
加えて、第１実施形態に係る電源システム１は、冗長系の電源装置１１ａ（第２の電源装置）が出力する電力の大きさが閾値電力よりも大きくなった場合、電源システム１の状態を電力供給禁止状態に切り替える。
【００６１】
これによれば、冗長系の電源装置１１ａ（第２の電源装置）が十分な大きさの電力を出力するようになった時点にて、バッテリ装置１２から外部負荷２への電力の供給が停止される。これにより、バッテリ装置１２が蓄電している電力が無駄に消費されることを防止することができる。
【００６２】
更に、第１実施形態に係る電源システム１は、電源装置１１ａ，１１ｂ，…により出力された電力をバッテリ装置１２へ供給可能に構成されている。
これによれば、バッテリ装置１２に電力を蓄電させることができる。
【００６３】
加えて、第１実施形態に係る電源システム１は、バッテリ装置１２の蓄電量が閾値蓄電量よりも小さい場合、電源システム１の状態を電力入力禁止状態から電力入力許可状態へ切り替え、且つ、電源システム１の状態を蓄電禁止状態から蓄電許可状態へ切り替える。
【００６４】
これによれば、バッテリ装置１２の蓄電量が比較的小さい場合、冗長系の電源装置１１ａ（第２の電源装置）が電力を出力するとともに、電源装置１１ａ，１１ｂ，…により出力された電力がバッテリ装置１２へ供給される。これにより、外部負荷２に供給される電力が不足することを防止しながら、バッテリ装置１２に電力を蓄電させることができる。
【００６５】
なお、第１実施形態に係る電源システム１は、冗長用の電源装置を１つだけ用いるように構成されていたが、冗長用の電源装置を複数用いるように構成されていてもよい。この場合、電源システム１は、冗長用の電源装置として用いられる電源装置の数と同じ数だけ、バッテリ装置１２を備えていてもよい。また、電源システム１は、冗長用の電源装置として用いられる電源装置により出力される電力の大きさの総和と同じ大きさの電力を出力可能なバッテリ装置１２を１つだけ備えていてもよい。
【００６６】
＜第２実施形態＞
次に、本発明の第２実施形態に係る電源システムについて図４を参照しながら説明する。
第２実施形態に係る電源システム１００は、
入力された電力を変換し、当該変換された電力を出力する電源装置１１０ａ，１１０ｂ，…を複数備えるとともに、当該出力された電力を外部負荷２００へ供給するように構成されたシステムである。
【００６７】
更に、この電源システム１００は、
入力された電力を蓄電するとともに当該蓄電されている電力を外部負荷２００へ供給するバッテリ装置１２０を備えるとともに、
上記複数の電源装置１１０ａ，１１０ｂ，…の１つである第１の電源装置１１０ａの状態が異常状態であることを検出する異常状態検出部（異常状態検出手段）１３１と、
第１の電源装置１１０ａの状態が上記異常状態であることが検出された場合、上記複数の電源装置１１０ａ，１１０ｂ，…の他の１つである第２の電源装置１１０ｂへ電力が入力されない電力入力禁止状態から、第２の電源装置１１０ｂへ電力が入力される電力入力許可状態へ、電源システム１００の状態を切り替え、且つ、バッテリ装置１２０に蓄電されている電力を外部負荷２００へ供給しない電力供給禁止状態から、バッテリ装置１２０に蓄電されている電力を外部負荷２００へ供給する電力供給許可状態へ、電源システム１００の状態を切り替える切替制御部（切替制御手段）１３２と、
を備える。
【００６８】
これによれば、第１の電源装置１１０ａの状態が異常状態となった場合、バッテリ装置１２０が蓄電している電力が外部負荷２００へ供給される。これにより、第２の電源装置１１０ｂが十分な大きさの電力を出力する前の期間においても、外部負荷２００へ供給する電力が不足することを防止することができる。
【００６９】
即ち、上記構成によれば、第１の電源装置１１０ａの状態が異常状態となるまでの間、第２の電源装置１１０ｂへ電力を入力しないように構成した場合であっても、第１の電源装置１１０ａの状態が異常状態となった場合に、外部負荷２００へ供給する電力が不足することを防止することができる。従って、第１の電源装置１１０ａの状態が異常状態となるまでの間、第２の電源装置１１０ｂへ電力を入力する場合と比較して、電力変換効率を高めることができる。
【００７０】
このように、上記構成によれば、第１の電源装置１１０ａの状態が異常状態となった場合であっても外部負荷２００へ供給する電力が不足することを防止しながら、電力変換効率を高めることができる。
【００７１】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【００７２】
なお、上記各実施形態において電源システムの各機能は、回路等のハードウェアにより実現されていた。ところで、電源システムは、処理装置と、プログラム（ソフトウェア）を記憶する記憶装置と、を備えるとともに、処理装置がそのプログラムを実行することにより、各機能を実現するように構成されていてもよい。
【００７３】
この場合、プログラムは、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【００７４】
また、上記実施形態の他の変形例として、上述した実施形態及び変形例の任意の組み合わせが採用されてもよい。
【００７５】
＜付記＞
上記実施形態の一部又は全部は、以下の付記のように記載され得るが、以下には限られない。
【００７６】
（付記１）
入力された電力を変換し、当該変換された電力を出力する電源装置を複数備えるとともに、当該出力された電力を外部負荷へ供給するように構成された電源システムであって、
入力された電力を蓄電するとともに当該蓄電されている電力を前記外部負荷へ供給するバッテリ装置を備えるとともに、
前記複数の電源装置の１つである第１の電源装置の状態が異常状態であることを検出する異常状態検出手段と、
前記第１の電源装置の状態が前記異常状態であることが検出された場合、前記複数の電源装置の他の１つである第２の電源装置へ電力が入力されない電力入力禁止状態から、当該第２の電源装置へ電力が入力される電力入力許可状態へ、前記電源システムの状態を切り替え、且つ、前記バッテリ装置に蓄電されている電力を前記外部負荷へ供給しない電力供給禁止状態から、当該バッテリ装置に蓄電されている電力を前記外部負荷へ供給する電力供給許可状態へ、前記電源システムの状態を切り替える切替制御手段と、
を備える電源システム。
【００７７】
これによれば、第１の電源装置の状態が異常状態となった場合、バッテリ装置が蓄電している電力が外部負荷へ供給される。これにより、第２の電源装置が十分な大きさの電力を出力する前の期間においても、外部負荷へ供給する電力が不足することを防止することができる。
【００７８】
即ち、上記構成によれば、第１の電源装置の状態が異常状態となるまでの間、第２の電源装置へ電力を入力しないように構成した場合であっても、第１の電源装置の状態が異常状態となった場合に、外部負荷へ供給する電力が不足することを防止することができる。従って、第１の電源装置の状態が異常状態となるまでの間、第２の電源装置へ電力を入力する場合と比較して、電力変換効率を高めることができる。
【００７９】
このように、上記構成によれば、電源装置の状態が異常状態となった場合であっても外部負荷へ供給する電力が不足することを防止しながら、電力変換効率を高めることができる。
【００８０】
（付記２）
付記１に記載の電源システムであって、
前記第２の電源装置が出力する電力を検出する出力電力検出手段を備え、
前記切替制御手段は、前記検出された電力の大きさが、予め設定された閾値電力よりも大きくなった場合、前記電源システムの状態を前記電力供給禁止状態に切り替えるように構成された電源システム。
【００８１】
これによれば、第２の電源装置が十分な大きさの電力を出力するようになった時点にて、バッテリ装置から外部負荷への電力の供給が停止される。これにより、バッテリ装置が蓄電している電力が無駄に消費されることを防止することができる。
【００８２】
（付記３）
付記１又は付記２に記載の電源システムであって、
前記切替制御手段は、前記第１の電源装置の状態が前記異常状態であることが検出されるまでの間、前記電源システムの状態を前記電力入力禁止状態に維持するように構成された電源システム。
【００８３】
（付記４）
付記１乃至付記３のいずれか一項に記載の電源システムであって、
前記電源装置により出力された電力を前記バッテリ装置へ供給する蓄電許可状態と、当該電源装置により出力された電力を当該バッテリ装置へ供給しない蓄電禁止状態と、に前記電源システムの状態が切り替わるように構成された電源システム。
【００８４】
これによれば、バッテリ装置に電力を蓄電させることができる。
【００８５】
（付記５）
付記４に記載の電源システムであって、
前記バッテリ装置が蓄電している電力の量である蓄電量を検出する蓄電量検出手段を備え、
前記切替制御手段は、
前記検出された蓄電量が予め設定された閾値蓄電量よりも小さい場合、前記電源システムの状態を前記電力入力禁止状態から前記電力入力許可状態へ切り替え、且つ、前記電源システムの状態を前記蓄電禁止状態から前記蓄電許可状態へ切り替えるように構成された電源システム。
【００８６】
これによれば、バッテリ装置の蓄電量が比較的小さい場合、第２の電源装置が電力を出力するとともに、電源装置により出力された電力がバッテリ装置へ供給される。これにより、外部負荷に供給される電力が不足することを防止しながら、バッテリ装置に電力を蓄電させることができる。
【００８７】
（付記６）
付記１乃至付記５のいずれか一項に記載の電源システムであって、
前記電源装置は、交流電力を入力し、当該入力された交流電力を直流電力に変換し、当該変換された直流電力を出力するように構成された電源システム。
【００８８】
（付記７）
入力された電力を変換し、当該変換された電力を出力する電源装置を複数備えるとともに、当該出力された電力を外部負荷へ供給するように構成された電源システムに適用される電源制御方法であって、
前記電源システムは、入力された電力を蓄電するとともに当該蓄電されている電力を前記外部負荷へ供給するバッテリ装置を備え、
前記電源制御方法は、
前記複数の電源装置の１つである第１の電源装置の状態が異常状態であることを検出し、
前記第１の電源装置の状態が前記異常状態であることが検出された場合、前記複数の電源装置の他の１つである第２の電源装置へ電力が入力されない電力入力禁止状態から、当該第２の電源装置へ電力が入力される電力入力許可状態へ、前記電源システムの状態を切り替え、且つ、前記バッテリ装置に蓄電されている電力を前記外部負荷へ供給しない電力供給禁止状態から、当該バッテリ装置に蓄電されている電力を前記外部負荷へ供給する電力供給許可状態へ、前記電源システムの状態を切り替える、電源制御方法。
【００８９】
（付記８）
付記７に記載の電源制御方法であって、
前記第２の電源装置が出力する電力を検出し、
前記検出された電力の大きさが、予め設定された閾値電力よりも大きくなった場合、前記電源システムの状態を前記電力供給禁止状態に切り替える、電源制御方法。
【００９０】
（付記９）
付記７又は付記８に記載の電源制御方法であって、
前記第１の電源装置の状態が前記異常状態であることが検出されるまでの間、前記電源システムの状態を前記電力入力禁止状態に維持する、電源制御方法。
【００９１】
（付記１０）
入力された電力を変換し、当該変換された電力を出力する電源装置を複数備えるとともに、当該出力された電力を外部負荷へ供給するように構成された電源システムを制御する電源制御装置であって、
前記電源システムは、入力された電力を蓄電するとともに当該蓄電されている電力を前記外部負荷へ供給するバッテリ装置を備え、
前記電源制御装置は、
前記複数の電源装置の１つである第１の電源装置の状態が異常状態であることを検出する異常状態検出手段と、
前記第１の電源装置の状態が前記異常状態であることが検出された場合、前記複数の電源装置の他の１つである第２の電源装置へ電力が入力されない電力入力禁止状態から、当該第２の電源装置へ電力が入力される電力入力許可状態へ、前記電源システムの状態を切り替え、且つ、前記バッテリ装置に蓄電されている電力を前記外部負荷へ供給しない電力供給禁止状態から、当該バッテリ装置に蓄電されている電力を前記外部負荷へ供給する電力供給許可状態へ、前記電源システムの状態を切り替える切替制御手段と、
を備える電源制御装置。
【００９２】
（付記１１）
付記１０に記載の電源制御装置であって、
前記第２の電源装置が出力する電力を検出する出力電力検出手段を備え、
前記切替制御手段は、前記検出された電力の大きさが、予め設定された閾値電力よりも大きくなった場合、前記電源システムの状態を前記電力供給禁止状態に切り替えるように構成された電源制御装置。
【００９３】
（付記１２）
付記１０又は付記１１に記載の電源制御装置であって、
前記切替制御手段は、前記第１の電源装置の状態が前記異常状態であることが検出されるまでの間、前記電源システムの状態を前記電力入力禁止状態に維持するように構成された電源制御装置。
【００９４】
（付記１３）
入力された電力を変換し、当該変換された電力を出力する電源装置を複数備えるとともに、当該出力された電力を外部負荷へ供給するように構成された電源システムを制御する電源制御装置が実行するプログラムであって、
前記電源システムは、入力された電力を蓄電するとともに当該蓄電されている電力を前記外部負荷へ供給するバッテリ装置を備え、
前記プログラムは、前記電源制御装置に、
前記複数の電源装置の１つである第１の電源装置の状態が異常状態であることを検出する異常状態検出手段と、
前記第１の電源装置の状態が前記異常状態であることが検出された場合、前記複数の電源装置の他の１つである第２の電源装置へ電力が入力されない電力入力禁止状態から、当該第２の電源装置へ電力が入力される電力入力許可状態へ、前記電源システムの状態を切り替え、且つ、前記バッテリ装置に蓄電されている電力を前記外部負荷へ供給しない電力供給禁止状態から、当該バッテリ装置に蓄電されている電力を前記外部負荷へ供給する電力供給許可状態へ、前記電源システムの状態を切り替える切替制御手段と、
を実現させるためのプログラム。
【００９５】
（付記１４）
付記１３に記載のプログラムであって、
前記電源制御装置に、更に、
前記第２の電源装置が出力する電力を検出する出力電力検出手段を実現させるとともに、
前記切替制御手段は、前記検出された電力の大きさが、予め設定された閾値電力よりも大きくなった場合、前記電源システムの状態を前記電力供給禁止状態に切り替えるように構成されたプログラム。
【００９６】
（付記１５）
付記１３又は付記１４に記載のプログラムであって、
前記切替制御手段は、前記第１の電源装置の状態が前記異常状態であることが検出されるまでの間、前記電源システムの状態を前記電力入力禁止状態に維持するように構成されたプログラム。
【産業上の利用可能性】
【００９７】
本発明は、複数の電源装置を備える電源システム等に適用可能である。
【符号の説明】
【００９８】
１      電源システム
２      外部負荷
１１ａ，１１ｂ，…  電源装置
１２    バッテリ装置
２０    電源制御装置
２１    電源出力検出部
２２    電源入力制御部
２３    蓄電量検出部
２４    バッテリ制御部
１００  電源システム
１１０ａ，１１０ｂ，…  電源装置
１２０  バッテリ装置
１３１  異常状態検出部
１３２  切替制御部
２００  外部負荷
【図１】
0005717173.tif 000002
【図２】
0005717173.tif 000003
【図３】
0005717173.tif 000004
【図４】
0005717173.tif 000005